(57)【要約】【課題】表示画面上に手入力等の方法で入力された情報を、電気泳動粒子による表示と異なる色相で、かつ高い精細度で追加表示することができるとともに、この情報の入力から出力までの応答特性に優れていて、軽量かつ小型である電気泳動表示装置を構築し得る電気泳動表示シート、信頼性の高い電気泳動表示装置、および信頼性の高い電子機器を提供すること。【解決手段】電気泳動表示装置２０は、基板１２と、基板１２の下面側に設けられ、２種の電気泳動粒子５１と、各電気泳動粒子５１とそれぞれ色相が異なる磁性粒子５２とを液相分散媒６に分散してなる電気泳動分散液１０を内包するマイクロカプセル４０を含有するマイクロカプセル含有層４００と、その下面側に設けられた対向基板１１とを備える。このような電気泳動表示装置２０では、磁界を発生させる磁石を表示面２３に接近させることにより、磁性粒子５２の色相が表示される。【選択図】図１
2008116513.tif 000002
【特許請求の範囲】
【請求項１】
基板と、泳動粒子含有層とを備え、
該泳動粒子含有層は、前記基板の一方の面側に設けられ、少なくとも１種の電気泳動粒子と、該電気泳動粒子と視覚的に区別可能な磁性粒子とを、液相または気相の分散媒に分散してなる粒子分散体を含有することを特徴とする電気泳動表示シート。
【請求項２】
前記磁性粒子は、前記電気泳動粒子と色相が異なる請求項１に記載の電気泳動表示シート。
【請求項３】
前記粒子分散体は、第１の電気泳動粒子と、該第１の電気泳動粒子と色相および帯電の極性が異なる第２の電気泳動粒子との、２種の電気泳動粒子を含む請求項１または２に記載の電気泳動表示シート。
【請求項４】
前記磁性粒子は、前記第２の電気泳動粒子と同じ極性に帯電しており、その帯電量が、前記第２の電気泳動粒子より小さい請求項３に記載の電気泳動表示シート。
【請求項５】
前記磁性粒子の平均粒径は、前記第２の電気泳動粒子の平均粒径より大きい請求項４に記載の電気泳動表示シート。
【請求項６】
前記第２の電気泳動粒子は、前記第１の電気泳動粒子よりも可視光の透過率が小さい請求項３ないし５のいずれかに記載の電気泳動表示シート。
【請求項７】
前記磁性粒子は、強磁性材料を含む請求項１ないし６のいずれかに記載の電気泳動表示シート。
【請求項８】
前記磁性粒子は、永久磁石を含む請求項１ないし６のいずれかに記載の電気泳動表示シート。
【請求項９】
前記磁性粒子は、Ｎ極側とＳ極側とで互いに色相が異なる請求項８に記載の電気泳動表示シート。
【請求項１０】
前記泳動粒子含有層は、前記粒子分散体を内包するマイクロカプセルを含有する請求項１ないし９のいずれかに記載の電気泳動表示シート。
【請求項１１】
請求項１ないし１０のいずれかに記載の電気泳動表示シートと、
前記基板の前記泳動粒子含有層と反対側に設けられた対向基板とを備えることを特徴とする電気泳動表示装置。
【請求項１２】
前記基板の前記泳動粒子含有層と反対側の面に磁界を接近させることにより、前記磁性粒子のうち前記磁界の作用を受けたものが前記基板付近に集合し、これにより前記磁性粒子の色相を含む表示がなされるよう構成された請求項１１に記載の電気泳動表示装置。
【請求項１３】
前記基板付近に集合した前記磁性粒子を、前記基板から遠ざけることにより、前記磁性粒子の色相を含む表示を解除する解除手段を備える請求項１１または１２に記載の電気泳動表示装置。
【請求項１４】
前記解除手段は、前記対向基板の前記泳動粒子含有層と反対側の面に設けられた磁石を有する請求項１３に記載の電気泳動表示装置。
【請求項１５】
請求項１１ないし１４のいずれかに記載の電気泳動表示装置を備えることを特徴とする電子機器。
【発明の詳細な説明】
【技術分野】
【０００１】
本発明は、電気泳動表示シート、電気泳動表示装置および電子機器に関するものである。
【背景技術】
【０００２】
表示メモリ性を有する薄型ディスプレイ装置として、電気泳動表示装置が知られている。
このうち電気泳動表示装置としては、例えば、所定の間隔で対向配置された第１の基板および第２の基板と、これら第１の基板および第２の基板の表面に、それぞれ設けられた第１の電極および第２の電極と、第１の基板と第２の基板の間隙を画素毎に仕切る隔壁と、隔壁によって仕切られた各空間（各画素）に収容された誘電性液体および帯電粒子とを備えたものが知られている（例えば、特許文献１参照。）。
【０００３】
このような従来の電気泳動表示装置では、誘電性液体と帯電粒子とは、それぞれ異なる色相で着色されている。そして、第１の電極と第２の電極との間に電圧が印加されると、帯電粒子が、その帯電と反対符号の電位を有する電極側に泳動する。例えば、帯電粒子が正に帯電している場合、第１の電極が負極となっている画素では、帯電粒子が第１電極側に泳動する。また、第２の電極が負極となっている画素では、帯電粒子が第２の電極側に泳動する。このような場合、電気泳動表示装置の第２の基板側を見ると、第２の電極が負極となっている画素では、帯電粒子の色相が視認され、それ以外の画素では誘電性液体の色相が視認される。したがって、第１の電極および第２の電極に印加する電圧の極性を制御することによって、様々な情報（画像）を表示することができる。
【０００４】
また、この電気泳動表示装置では、誘電性液体の粘度や帯電粒子の比重を制御することによって、各電極側に泳動した帯電粒子の位置が、電極間の電圧をＯＦＦとした後も維持することが可能であるので、表示メモリ性を得ることができる。
ところで、このような電気泳動表示装置は、前述のように表示メモリ性が得られるとともに、厚さが薄い、柔軟性が高い、および消費電力が小さいといった長所を有することから、電子ペーパーとしての利用が期待される。
【０００５】
ここで、電子ペーパーとして使用する表示装置では、さらに手入力による書き込みが可能であることが望まれる。例えば、そのような手入力を使用する方式の１つとして、予め、表のような定型画像を表示させており、その上に、手入力によってデータ（追記画像）を書き込むことが考えられる。
手入力による書き込みが可能な電気泳動表示装置としては、例えば、前述したような従来の電気泳動表示装置に、抵抗膜方式の座標位置検出装置（デジタイザ）を組み合わせた装置が考えられる。（例えば、特許文献２参照。）
【０００６】
かかる装置では、デジタイザが取得した手入力の情報を、電気信号として電気泳動表示装置に伝送し、電気泳動表示装置において、この電気信号に基づいた表示、すなわち手入力の情報を含む表示を行うことができる。
しかし、電気泳動表示装置とデジタイザとを組み合わせると、デジタイザの分だけ、装置の厚さおよび重量が増すことから、薄型化・軽量化が可能であるという電気泳動表示装置の電子ペーパーとしての優位性が損なわれてしまう。
【０００７】
また、電気泳動表示装置では、電極の極性が正負の２種類であり、各電極間に誘起される電界の作用により泳動される帯電粒子も負の帯電粒子と正の帯電粒子の２種類であることが一般的である。このため、表示可能な色相も、負の帯電粒子の色相と正の帯電粒子の色相の２色に制限されてしまう。したがって、例えば、定型画像を、白色帯電粒子と黒色帯電粒子を用いてモノクロ表示した場合には、追記画像も、これら粒子によるモノクロ表示にするしかなく、追記画像を定型画像と区別することが困難となる。
【０００８】
さらに、従来の装置で追記画像を表示させるためには、まず、デジタイザによって手入力の情報を取得し、この情報を解析して電気信号に変換し、次に、この電気信号に基づいて各電極間に電圧を印加することにより、電気泳動表示装置に手入力の情報を表示するというプロセスを経る。このため、入力から出力までのタイムラグが長く、ユーザーに違和感を与えるという問題もある。
【０００９】
なお、電気泳動表示装置における帯電粒子の泳動速度を向上させるためには、電気泳動表示装置の各電極間に印加する電圧（駆動電圧）を高くすることが考えられる。駆動電圧を高くするには、高耐圧性のドライバＩＣやＴＦＴ（Ｔｈｉｎ  Ｆｉｌｍ  Ｔｒａｎｓｉｓｔｏｒ）が必要であるが、このような高耐圧性のデバイスは、一般に実装面積が大きく、高価であることから、装置の大型化および高コスト化を招いてしまう。
【００１０】
【特許文献１】米国特許第３６１２７５８号公報
【特許文献２】特開平５−３２４１６３号公報
【発明の開示】
【発明が解決しようとする課題】
【００１１】
本発明の目的は、表示画面上に手入力等の方法で入力された情報を、電気泳動粒子による表示と異なる色相で、かつ高い精細度で追加表示することができるとともに、この情報の入力から出力までの応答特性に優れていて、軽量かつ小型である電気泳動表示装置を構築し得る電気泳動表示シート、信頼性の高い電気泳動表示装置、および信頼性の高い電子機器を提供することにある。
【課題を解決するための手段】
【００１２】
このような目的は、下記の本発明により達成される。
本発明に係る電気泳動表示シートは、基板と、泳動粒子含有層とを備え、
該泳動粒子含有層は、前記基板の一方の面側に設けられ、少なくとも１種の電気泳動粒子と、該電気泳動粒子と視覚的に区別可能な磁性粒子とを、液相または気相の分散媒に分散してなる粒子分散体を含有することを特徴とする。
これにより、表示画面上に手入力等の方法で入力された情報を、電気泳動粒子による表示と異なる色相で、かつ高い精細度で追加表示することができるとともに、この情報の入力から出力までの応答特性に優れていて、軽量かつ小型である電気泳動表示装置を構築し得る電気泳動表示シートが得られる。
【００１３】
本発明の電気泳動表示シートでは、前記磁性粒子は、前記電気泳動粒子と色相が異なることが好ましい。
これにより、前記電気泳動粒子による情報と前記磁性粒子による情報とを目視で容易に識別することができる。
本発明の電気泳動表示シートでは、前記粒子分散体は、第１の電気泳動粒子と、該第１の電気泳動粒子と色相および帯電の極性が異なる第２の電気泳動粒子との、２種の電気泳動粒子を含むことが好ましい。
これにより、互いに色相の異なる前記各電気泳動粒子が、互いに異なる方向に泳動して表示を構成することから、コントラストの高い表示が可能となる。
【００１４】
本発明の電気泳動表示シートでは、前記磁性粒子は、前記第２の電気泳動粒子と同じ極性に帯電しており、その帯電量が、前記第２の電気泳動粒子より小さいことが好ましい。
これにより、前記磁性粒子と前記第２の電気泳動粒子とが電界の作用により泳動する際に、前記磁性粒子よりも前記第２の電気泳動粒子の泳動速度が速くなる。これにより、前記第２の電気泳動粒子は、前記磁性粒子よりも表示部側に集合することができるので、前記磁性粒子の色相が意図せず表示されるのを確実に防止することができる。
【００１５】
本発明の電気泳動表示シートでは、前記磁性粒子の平均粒径は、前記第２の電気泳動粒子の平均粒径より大きいことが好ましい。
これにより、前記磁性粒子の泳動速度が前記第２の電気泳動粒子より遅くなる。このため、泳動の際に、前記第２の電気泳動粒子が前記磁性粒子よりも確実に先行することができる。このため、表示において、前記磁性粒子の色相が意図せず見えてしまうのを、より確実に防止することができる。
【００１６】
本発明の電気泳動表示シートでは、前記第２の電気泳動粒子は、前記第１の電気泳動粒子よりも可視光の透過率が小さいことが好ましい。
これにより、前記第２の電気泳動粒子が前記第１の電気泳動粒子よりも可視光を透過させ難くなる。したがって、例えば、前記第２の電気泳動粒子の陰に前記磁性粒子が隠れると、表示において、前記磁性粒子の色相が意図せず見えてしまうのを、より確実に防止することができる。
【００１７】
本発明の電気泳動表示シートでは、前記磁性粒子は、強磁性材料を含むことが好ましい。
これにより、前記磁性粒子が、磁界の作用により容易に泳動するとともに、容易かつ安価に入手（製造）可能なものとなる。
本発明の電気泳動表示シートでは、前記磁性粒子は、永久磁石を含むことが好ましい。
これにより、前記磁性粒子が、磁界の作用により容易に泳動するとともに、容易かつ安価に入手（製造）可能なものとなる。また、前記磁性粒子自らが磁界を発生させるので、磁石を用いることなく、前記磁性粒子を容易に泳動させることができる。
【００１８】
本発明の電気泳動表示シートでは、前記磁性粒子は、Ｎ極側とＳ極側とで互いに色相が異なることが好ましい。
これにより、前記磁性粒子を泳動させる磁界の向きを変更することにより、それぞれ異なる色相で描かれた情報を追加表示することができる。
本発明の電気泳動表示シートでは、前記泳動粒子含有層は、前記粒子分散体を内包するマイクロカプセルを含有することが好ましい。
これにより、液状の前記粒子分散体を含む前記泳動粒子含有層を、容易に形成することができるとともに、前記粒子分散体を確実に保持することができる。
【００１９】
本発明に係る電気泳動表示装置は、本発明の電気泳動表示シートと、
前記基板の前記泳動粒子含有層と反対側に設けられた対向基板とを備えることを特徴とする。
これにより、信頼性の高い電気泳動表示装置が得られる。
本発明の電気泳動表示装置では、前記基板の前記泳動粒子含有層と反対側の面に磁界を接近させることにより、前記磁性粒子のうち前記磁界の作用を受けたものが前記基板付近に集合し、これにより前記磁性粒子の色相を含む表示がなされるよう構成されたことが好ましい。
これにより、表示画面上に手入力等の方法で入力された情報を、電気泳動粒子による表示と異なる色相で、かつ高い精細度で表示することができる。
【００２０】
本発明の電気泳動表示装置では、前記基板付近に集合した前記磁性粒子を、前記基板から遠ざけることにより、前記磁性粒子の色相を含む表示を解除する解除手段を備えることが好ましい。
これにより、前記表示から前記磁性粒子の色相を消去することができる。
本発明の電気泳動表示装置では、前記解除手段は、前記対向基板の前記泳動粒子含有層と反対側の面に設けられた磁石を有することが好ましい。
これにより、簡単な構造で、前記表示から前記磁性粒子の色相を消去可能な前記解除手段を構成することができる。
本発明に係る電子機器は、本発明の電気泳動表示装置を備えることを特徴とする。
これにより、信頼性の高い電子機器が得られる。
【発明を実施するための最良の形態】
【００２１】
以下、本発明の電気泳動表示シート、電気泳動表示装置および電子機器を添付図面に示す好適実施形態に基づいて詳細に説明する。
＜電気泳動表示装置＞
≪第１実施形態≫
まず、本発明の電気泳動表示シートを適用した電気泳動表示装置（本発明の電気泳動表示装置）の第１実施形態について説明する。
図１は、本発明の電気泳動表示装置の第１実施形態の縦断面を模式的に示す図、図２〜４は、図１に示す電気泳動表示装置の作動原理を示す模式図である。なお、以下では、説明の都合上、図１〜４中の上側を「上」、下側を「下」として説明を行う。
【００２２】
図１に示す電気泳動表示装置２０は、電気泳動表示シート（フロントプレーン）２１と、回路基板（バックプレーン）２２と、電気泳動表示シート２１と回路基板２２との間の間隙を気密的に封止する封止部７とを有している。
電気泳動表示シート２１は、平板状の基部２と基部２の下面に設けられた第２の電極４とを備える基板１２と、この基板１２の下面（一方の面）側に設けられ、マイクロカプセル４０とバインダ材４１とで構成されたマイクロカプセル含有層（泳動粒子含有層）４００とを有している。
【００２３】
なお、後述するが、マイクロカプセル４０は、電気泳動分散液（粒子分散体）１０をカプセル本体（殻体）４０１内に封入してなるものである。そして、電気泳動分散液１０は、少なくとも１種の電気泳動粒子５１と、この電気泳動粒子５１と視覚的に区別可能な磁性粒子５２とを、液相分散媒６に分散してなるものである。
一方、回路基板２２は、平板状の基部１と基部１の上面に設けられた複数の第１の電極３とを備える対向基板１１と、この対向基板１１（基部１）に設けられた、例えば薄膜トランジスタ（Thin Film Transistor；ＴＦＴ）等のスイッチング素子を含む回路（図示せず）とを有している。
このような電気泳動表示装置２０は、電気泳動分散液１０の色相で構成された表示を、基板１２を介して、基板１２の上面（表示面２３）側から視認する。
【００２４】
以下、各部の構成について順次説明する。
基部１および基部２は、それぞれ、シート状（平板状）の部材で構成され、これらの間に配される各部材を支持および保護する機能を有する。
各基部１、２は、それぞれ、可撓性を有するもの、硬質なもののいずれであってもよいが、可撓性を有するものであるのが好ましい。可撓性を有する基部１、２を用いることにより、可撓性を有する電気泳動表示装置２０、すなわち、例えば電子ペーパーを構築する上で有用な電気泳動表示装置２０を得ることができる。
【００２５】
また、各基部（基材層）１、２を可撓性を有するものとする場合、その構成材料としては、それぞれ、例えば、ポリエチレン、ポリプロピレン、エチレン−酢酸ビニル共重合体等のポリオレフィン、変性ポリオレフィン、ポリアミド（例：ナイロン６、ナイロン４６、ナイロン６６、ナイロン６１０、ナイロン６１２、ナイロン１１、ナイロン１２、ナイロン６−１２、ナイロン６−６６）、熱可塑性ポリイミド、芳香族ポリエステル等の液晶ポリマー、ポリフェニレンオキシド、ポリフェニレンサルファイド、ポリカーボネート、ポリメチルメタクリレート、ポリエーテル、ポリエーテルエーテルケトン、ポリエーテルイミド、ポリアセタール、スチレン系、ノルボルネン系樹脂等のポリシクロオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００２６】
このような基部１、２の平均厚さは、それぞれ、構成材料、用途等により適宜設定され、特に限定されないが、可撓性を有するものとする場合、２０〜５００μｍ程度であるのが好ましく、２５〜２５０μｍ程度であるのがより好ましい。これにより、電気泳動表示装置２０の柔軟性と強度との調和を図りつつ、電気泳動表示装置２０の小型化（特に、薄型化）を図ることができる。
【００２７】
これらの基部１、２のマイクロカプセル４０側の面、すなわち、基部１の上面および基部２の下面に、それぞれ、層状（膜状）をなす第１の電極３および第２の電極４が設けられている。
第１の電極３と第２の電極４との間に電圧を印加すると、これらの間に電界が生じ、この電界が電気泳動粒子５１に作用する。
【００２８】
本実施形態では、第２の電極４が共通電極とされ、第１の電極３がマトリックス状（行列状）に分割された個別電極（スイッチング素子に接続された画素電極）とされており、第１の電極３に対応する部分が１画素を構成する。
なお、第２の電極４も、第１の電極３と同様に複数に分割するようにしてもよい。
また、第１の電極３がストライプ状に分割され、第２の電極も同様にストライプ状に分割され、これらが交差するように配置された形態であってもよい。
【００２９】
各電極３、４の構成材料としては、それぞれ、実質的に導電性を有するものであれば特に限定されず、例えば、銅、アルミニウム、ニッケル、コバルト、白金、金、銀、モリブデン、タンタルまたはこれらを含む合金等の金属材料、カーボンブラック、カーボンナノチューブ、フラーレン等の炭素系材料、ポリアセチレン、ポリピロール、ポリチオフェン、ポリアニリン、ポリ（ｐ−フェニレン）、ポリ（ｐ−フェニレンビニレン）、ポリフルオレン、ポリカルバゾール、ポリシランまたはこれらの誘導体等の電子導電性高分子材料、ポリビニルアルコール、ポリカーボネート、ポリエチレンオキシド、ポリビニルブチラール、ポリビニルカルバゾール、酢酸ビニル等のマトリックス樹脂中に、ＮａＣｌ、ＬｉＣｌＯ４、ＫＣｌ、Ｈ２Ｏ、ＬｉＣｌ、ＬｉＢｒ、ＬｉＩ、ＬｉＮＯ３、ＬｉＳＣＮ、ＬｉＣＦ３ＳＯ３、ＮａＢｒ、ＮａＩ、ＮａＳＣＮ、ＮａＣｌＯ４、ＮａＣＦ３ＳＯ３、ＫＩ、ＫＳＣＮ、ＫＣｌＯ４、ＫＣＦ３ＳＯ３、ＮＨ４Ｉ、ＮＨ４ＳＣＮ、ＮＨ４ＣｌＯ４、ＮＨ４ＣＦ３ＳＯ３、ＭｇＣｌ２、ＭｇＢｒ２、ＭｇＩ２、Ｍｇ（ＮＯ３）２、ＭｇＳＣＮ２、Ｍｇ（ＣＦ３ＳＯ３）２、ＺｎＣｌ２、ＺｎＩ２、ＺｎＳＣＮ２、Ｚｎ（ＣｌＯ４）２、Ｚｎ（ＣＦ３ＳＯ３）２、ＣｕＣｌ２、ＣｕＩ２、ＣｕＳＣＮ２、Ｃｕ（ＣｌＯ４）２、Ｃｕ（ＣＦ３ＳＯ３）２等のイオン性物質を分散させたイオン導電性高分子材料、インジウム錫酸化物（ＩＴＯ）、フッ素ドープした錫酸化物（ＦＴＯ）、錫酸化物（ＳｎＯ２）、インジウム酸化物（ＩＯ）等の導電性酸化物材料のような各種導電性材料が挙げられ、これらのうちの１種または２種以上を組み合わせて用いることができる。
【００３０】
その他、各電極３、４の構成材料としては、それぞれ、例えば、ガラス材料、ゴム材料、高分子材料等の導電性を有さない材料中に、金、銀、ニッケル、カーボン等の導電性材料（導電性粒子）を混合して、導電性を付加したような各種複合材料も使用することができる。
このような複合材料の具体例としては、例えば、ゴム材料中に導電性材料を混合した導電性ゴム、エポキシ系、ウレタン系、アクリル系等の接着剤組成物中に導電性材料を混合した導電性接着剤または導電性ペースト、ポリオレフィン、ポリ塩化ビニル、ポリスチレン、ＡＢＳ樹脂、ナイロン（ポリアミド）、エチレン酢酸ビニル共重合体、ポリエステル、アクリル系樹脂、エポキシ系樹脂、ウレタン系樹脂等のマトリックス樹脂中に導電性材料を混合した導電性樹脂等が挙げられる。
このような電極３、４の平均厚さは、それぞれ、構成材料、用途等により適宜設定され、特に限定されないが、０．０５〜１０μｍ程度であるのが好ましく、０．０５〜５μｍ程度であるのがより好ましい。
【００３１】
なお、各基部１、２および各電極３、４のうち、表示面２３側に配置される基部および電極（本実施形態では、基部２および第２の電極４）は、それぞれ、光透過性を有するもの、すなわち、実質的に透明（無色透明、有色透明または半透明）とされる。これにより、後述する電気泳動分散液１０中における電気泳動粒子５１および磁性粒子５２の状態、すなわち電気泳動表示装置２０に表示された情報（画像）を目視により容易に認識することができる。
また、各電極３、４は、前述したような材料の単体からなる単層構造のものの他、例えば、複数の材料を順次積層したような多層積層構造のものであってもよい。すなわち、各電極３、４は、それぞれ、例えば、ＩＴＯで構成される単層構造であってもよく、ＩＴＯ層とポリアニリン層との２層積層構造とすることもできる。
【００３２】
電気泳動表示シート２１では、第２の電極４の下面に接触して、マイクロカプセル含有層４００が設けられている。
このマイクロカプセル含有層４００は、電気泳動分散液（粒子分散体）１０をカプセル本体（殻体）４０１内に封入した複数のマイクロカプセル４０が、バインダ材４１で固定（保持）されて構成されている。
マイクロカプセル４０は、対向基板１１と基板１２との間に、縦横に並列するように単層で（厚さ方向に重なることなく１個ずつ）配設されている。
【００３３】
本実施形態では、第１の電極３と第２の電極４とで挟持されることにより、マイクロカプセル４０は、上下方向に圧縮され、水平方向に拡がって扁平形状となっている。換言すれば、マイクロカプセル４０は、石垣構造を形成している。
このような構成により、電気泳動表示装置２０では、有効表示領域が増大し、コントラストが良好なものとなる。また、電気泳動粒子５１および磁性粒子５２の上下方向への移動距離を短縮することができるため、電気泳動粒子５１および磁性粒子５２を短時間に所定の電極近傍または後述する入力用ペン（磁界発生手段）８の磁極に移動・集合させることができ、応答速度の向上を図ることもできる。
また、泳動粒子含有層が、本実施形態のようにマイクロカプセル４０を含むマイクロカプセル含有層４００で構成されていることにより、液状の電気泳動分散液１０を含む泳動粒子含有層を、容易に形成することができるとともに、各基板１１、１２間に電気泳動分散液１０を確実に保持することができる。
【００３４】
ここで、本実施形態では、第１の電極３に対して１つのマイクロカプセル４０が配置されている。
カプセル本体（殻体）４０１の構成材料としては、例えば、ゼラチン、アラビアゴムとゼラチンとの複合材料、ウレタン系樹脂、メラミン系樹脂、尿素樹脂、ポリアミド、ポリエーテルのような各種樹脂材料が挙げられ、これらのうち１種または２種以上を組み合わせて用いることができる。
【００３５】
また、カプセル本体４０１の構成材料には、架橋剤により架橋（立体架橋）を形成するようにしてもよい。これにより、カプセル本体４０１の柔軟性を維持しつつ、強度を向上させることができる。その結果、マイクロカプセル４０が容易に崩壊するのを防止することができる。
また、マイクロカプセル４０の作製手法（カプセル本体４０１への電気泳動分散液１０の封入方法）としては、特に限定されないが、例えば、界面重合法、ｉｎ−ｓｉｔｕ重合法、相分離法（または、コアセルベーション法）、界面沈殿法、スプレードライング法等の各種マイクロカプセル化手法を用いることができる。なお、前記のマイクロカプセル化手法は、マイクロカプセル４０の構成材料等に応じて、適宜選択するようにすればよい。
【００３６】
このようなマイクロカプセル４０は、その大きさがほぼ均一であることが好ましい。これにより、電気泳動表示装置２０では、表示ムラの発生が防止または低減され、より優れた表示性能を発揮することができる。なお、均一な大きさのマイクロカプセル４０は、例えば、濾過法、比重差分級法等を用いることにより得ることができる。
マイクロカプセル４０の大きさ（平均粒径）は、特に限定されないが、通常、１０〜１５０μｍ程度であるのが好ましく、２０〜１００μｍ程度であるのがより好ましい。
【００３７】
カプセル本体４０１内に封入された電気泳動分散液（粒子分散体）１０は、少なくとも１種の電気泳動粒子５１（本実施形態では、一例として、着色粒子５１ｂと白色粒子５１ａとの２種）と、電気泳動粒子５１と色相が異なる磁性粒子５２（本実施形態では、一例として、赤色の磁性粒子５２）を液相分散媒６に分散（懸濁）してなるものである。
これらの各粒子の液相分散媒６への分散は、例えば、ペイントシェーカー法、ボールミル法、メディアミル法、超音波分散法、撹拌分散法等のうちの１種または２種以上を組み合わせて行うことができる。
【００３８】
電気泳動粒子５１は、帯電し、電界が作用することにより、液相分散媒６中を電気泳動し得る粒子（帯電粒子）であれば、いかなるものをも用いることができ、特に限定はされないが、顔料粒子、樹脂粒子またはこれらの複合粒子のうちの少なくとも１種が好適に使用される。これらの粒子は、製造が容易であるとともに、帯電の制御を比較的容易に行うことができるという利点を有している。
【００３９】
顔料粒子を構成する顔料としては、例えば、アニリンブラック、カーボンブラック、チタンブラック等の黒色顔料、酸化チタン、酸化アンチモン、硫酸バリウム、硫化亜鉛、亜鉛華、酸化珪素、酸化アルミニウム等の白色顔料、モノアゾ、ジスアゾ、ポリアゾ等のアゾ系顔料、イソインドリノン、黄鉛、黄色酸化鉄、カドミウムイエロー、チタンイエロー、アンチモン等の黄色顔料、モノアゾ、ジスアゾ、ポリアゾ等のアゾ系顔料、キナクリドンレッド、クロムバーミリオン等の赤色顔料、フタロシアニンブルー、インダスレンブルー、紺青、群青、コバルトブルー等の青色顔料、フタロシアニングリーン等の緑色顔料等が挙げられ、これらのうち１種または２種以上を組み合わせて用いることができる。
【００４０】
また、樹脂粒子を構成する樹脂材料としては、例えば、アクリル系樹脂、ウレタン系樹脂、尿素系樹脂、エポキシ系樹脂、ポリスチレン、ポリエステル等が挙げられ、これらのうちの１種または２種以上を組み合わせて用いることができる。
また、複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。
【００４１】
顔料粒子の表面を他の顔料で被覆した粒子としては、例えば、酸化チタン粒子の表面を、酸化珪素や酸化アルミニウムで被覆したものを例示することができ、かかる粒子は、白色粒子５１ａとして好適に用いられる。
また、カーボンブラック粒子またはその表面を被覆した粒子は、着色粒子（黒色粒子）５１ｂとして好適に用いられる。
また、電気泳動粒子５１の形状は、特に限定されないが、球形状であるのが好ましい。
【００４２】
なお、電気泳動粒子５１の帯電量は、電気泳動粒子５１の表面に高分子を含むポリマーグラフト層を形成し、この層に導入する極性基の密度を調整すること等により制御することができる。この場合、ポリマーグラフト層が含む高分子は、液相分散媒６と相溶性の高いものが好ましい。これにより、電気泳動粒子５１の液相分散媒６に対する親和性が向上するため、電気泳動粒子５１が液相分散媒６中を泳動する際に受ける抵抗力を減少させることができる。このような高分子としては、例えば、各種カップリング剤等が挙げられる。
【００４３】
電気泳動粒子５１の平均粒径は、０．１〜１０μｍ程度であるのが好ましく、０．１〜７．５μｍ程度であるのがより好ましい。電気泳動粒子５１の平均粒径を前記範囲とすることにより、電気泳動粒子５１同士の凝集や、液相分散媒６中における沈降を確実に防止することができ、その結果、電気泳動表示装置２０の表示品質の劣化を好適に防止することができる。
【００４４】
磁性粒子５２は、白色粒子（第１の電気泳動粒子）５１ａおよび着色粒子（第２の電気泳動粒子）５１ｂとそれぞれ異なる色相（本実施形態では、赤色）を呈している。
このような磁性粒子５２には、磁性を有し、磁界が作用することにより、液相分散媒６中を磁気泳動し得る粒子（磁性粒子）であれば、いかなるものをも用いることができ、特に限定はされないが、比較的透磁率の高い磁性粒子、または、そのような磁性粒子と樹脂材料や着色剤を組み合わせた複合粒子のうちの少なくとも１種が好適に使用される。
【００４５】
このような磁性粒子５２を構成する材料としては、例えば、Ｆｅ、Ｎｉ、Ｃｏのような強磁性金属または強磁性金属を含む合金等の各種強磁性材料、または、フェライト磁石、合金磁石のような各種永久磁石等が挙げられる。このような材料で構成された磁性粒子５２は、磁界の作用により容易に泳動するとともに、容易かつ安価に入手（製造）可能なものである。
【００４６】
また、複合粒子としては、例えば、磁性粒子の表面を、樹脂材料や着色剤で被覆したもの、磁性材料と、樹脂材料や着色剤を適当な組成比で混合した混合物で構成される粒子等が挙げられる。着色剤としては、前述したような各種顔料、または後述する各種染料を用いることができる。
磁性粒子５２の形状は、特に限定されず、例えば、球形状、柱状、薄片状等が挙げられるが、球形状であるのが好ましい。また、複数の磁性微粒子を樹脂等で結合させた塊状であってもよい。
【００４７】
また、磁性粒子５２の表面に、高分子を含むポリマーグラフト層を形成してもよい。この場合、この層に導入する極性基の密度を調整すること等により、後述する磁性粒子５２の帯電量を制御することができる。
さらに、ポリマーグラフト層が含む高分子は、液相分散媒６と相溶性の高いものが好ましい。これにより、磁性粒子５２の液相分散媒６に対する親和性が向上するため、磁性粒子５２が液相分散媒６中を泳動する際に受ける抵抗力を減少させることができる。
液相分散媒６としては、比較的高い絶縁性を有する液体が好適に使用される。
【００４８】
かかる液相分散媒６としては、例えば、メタノール、エタノール、イソプロパノール、ブタノール、オクタノール、エチレングリコール、ジエチレングリコール、グリセリン等のアルコール類、メチルセロソルブ、エチルセロソルブ、フェニルセロソルブ等のセロソルブ類、酢酸メチル、酢酸エチル、酢酸ブチル、ギ酸エチル等のエステル類、アセトン、メチルエチルケトン、ジエチルケトン、メチルイソブチルケトン、メチルイソプロピルケトン、シクロヘキサノン等のケトン類、ぺンタン、ヘキサン、オクタン等の脂肪族炭化水素類、パラフィン、イソパラフィン、シクロパラフィン等の石油系炭化水素類、シクロへキサン、メチルシクロへキサン等の脂環式炭化水素類、ベンゼン、トルエン、キシレン、ヘキシルベンゼン、ヘプチルベンゼン、オクチルベンゼン、ノニルベンゼン、デシルベンゼン、ウンデシルベンゼン、ドデシルベンゼン、トリデシルベンゼン、テトラデシルベンゼンのような長鎖アルキル基を有するベンゼン類（アルキルベンゼン誘導体）等の芳香族炭化水素類、塩化メチレン、クロロホルム、四塩化炭素、１，２−ジクロロエタン等のハロゲン化炭化水素類、フロリナート、ガルデン等のパーフロロカーボン類、ピリジン、ピラジン、フラン、ピロール、チオフェン、メチルピロリドン等の芳香族複素環類、アセトニトリル、プロピオニトリル、アクリロニトリル等のニトリル類、Ｎ，Ｎ−ジメチルホルムアミド、Ｎ，Ｎ−ジメチルアセトアミド等のアミド類、カルボン酸塩またはその他の各種油類等が挙げられ、これらを単独または混合物として用いることができる。
【００４９】
中でも、液相分散媒６は、長鎖アルキル基を有するベンゼン類（特に、ドデシルベンゼン）を主成分とするものが好ましい。長鎖アルキル基を有するベンゼン類は、沸点が比較的高く、これにより常温における揮発性を低くすることができる。このため、例えば、電気泳動分散液１０の製造過程で、液相分散媒６が揮発することにより、電気泳動粒子５１の含有率や、水分の含有率等が変化してしまうのを防止することができる。その結果、これらの変化に起因して生じる電気泳動表示装置２０の応答特性や表示性能の低下等を、確実に防止することができる。
【００５０】
さらに、液相分散媒６には、必要に応じて、アントラキノン系染料、アゾ系染料、インジゴイド系染料、トリフェニルメタン系染料、ピラゾロン系染料、スチルベン系染料、ジフェニルメタン系染料、キサンテン系染料、アリザリン系染料、アクリジン系染料、キノンイミン系染料、チアゾール系染料、メチン系染料、ニトロ系染料、ニトロソ系染料等の各種染料を溶解するようにしてもよい。
【００５１】
バインダ材４１は、例えば、基板１２と対向基板１１とを接合する目的、基板１２と対向基板１１とマイクロカプセル４０を固定する目的、各電極３、４間の絶縁性を確保する目的等により供給される。これにより、電気泳動表示装置２０の耐久性および信頼性をより向上させることができる。
このバインダ材４１には、各電極３、４およびカプセル本体４０１（マイクロカプセル４０）との親和性（密着性）に優れ、かつ、絶縁性に優れる樹脂材料が好適に使用される。
【００５２】
このようなバインダ材４１としては、例えば、ポリエチレン、塩素化ポリエチレン、エチレン−酢酸ビニル共重合体、エチレン−アクリル酸エチル共重合体、ポリプロピレン、ＡＳ樹脂、ＡＢＳ樹脂、メタクリル酸メチル樹脂、塩化ビニル樹脂、塩化ビニル−酢酸ビニル共重合体、塩化ビニル−塩化ビニリデン共重合体、塩化ビニルアクリル酸エステル共重合体、塩化ビニル−メタクリル酸共重合体、塩化ビニル−アクリロニトリル共重合体、エチレン−ビニルアルコール−塩化ビニル共重合体、プロピレン−塩化ビニル共重合体、塩化ビニリデン樹脂、酢酸ビニル樹脂、ポリビニルアルコール、ポリビニルホルマール、セルロース系樹脂等の熱可塑性樹脂、ポリアミド系樹脂、ポリアセタール、ポリカーボネート、ポリエチレンテレフタレート、ポリブチレンテレフタレート、ポリフェニレンオキサイド、ポリスルホン、ポリアミドイミド、ポリアミノビスマレイミド、ポリエーテルスルホン、ポリフェニレンスルホン、ポリアリレート、グラフト化ポリフェニレンエーテル、ポリエーテルエーテルケトン、ポリエーテルイミド等の高分子、ポリ四フッ化エチレン、ポリフッ化エチレンプロピレン、四フッ化エチレン−パーフロロアルコキシエチレン共重合体、エチレン−四フッ化エチレン共重合体、ポリフッ化ビニリデン、ポリ三フッ化塩化エチレン、フッ素ゴム等のフッ素系樹脂、シリコーン樹脂、シリコーンゴム等のシリコーン系樹脂、ポリウレタン等のウレタン系樹脂、その他として、メタクリル酸−スチレン共重合体、ポリブチレン、メタクリル酸メチル−ブタジエン−スチレン共重合体等の各種樹脂材料が挙げられ、これらのうちの１種または２種以上を組み合わせて用いることができる。
また、バインダ材４１は、その誘電率が前記液相分散媒６の誘電率とほぼ等しくなるよう設定されているのが好ましい。このため、バインダ材４１中には、例えば、１，２−ブタンジオール、１，４−ブタンジオールのようなアルコール類、ケトン類、カルボン酸塩等の誘電率調節剤を添加するのが好ましい。
【００５３】
基部１と基部２との間であって、それらの縁部に沿って、封止部７が設けられている。この封止部７により、各電極３、４およびマイクロカプセル含有層４００が気密的に封止されている。これにより、電気泳動表示装置２０内への水分の浸入を防止して、電気泳動表示装置２０の表示性能の劣化をより確実に防止することができる。
封止部７の構成材料としては、例えば、アクリル系樹脂、ウレタン系樹脂、オレフィン系樹脂のような熱可塑性樹脂、エポキシ系樹脂、メラミン系樹脂、フェノール系樹脂のような熱硬化性樹脂等の各種樹脂材料等が挙げられ、これらのうちの１種または２種以上を組み合わせて用いることができる。
なお、封止部７は、必要に応じて設ければよく、省略することもできる。
【００５４】
次に、このような電気泳動表示装置２０の作用（動作）について説明する。
［１］まず、第１の電極３と第２の電極４との間に電圧を印加する。これにより、各電極３、４間に誘起された電界の作用により、電気泳動粒子５１（白色粒子５１ａ、着色粒子５１ｂ）は、それぞれの帯電の極性に応じて、いずれかの電極に向かって電気泳動する。
【００５５】
例えば、白色粒子５１ａとして正に帯電したものを用い、着色粒子（黒色粒子）５１ｂとして負に帯電したものを用いた場合、第１の電極３を正電位とすると、図２中左側の画素のように、白色粒子５１ａは、第２の電極４側に移動して、第２の電極４に集まる。一方、着色粒子５１ｂは、第１の電極３側に移動して、第１の電極３に集まる。このため、電気泳動表示装置２０を上方（表示面２３側）から見ると、図２中左側の画素には白色粒子５１ａの色相、すなわち、白色が見えることになる。
【００５６】
なお、これとは逆に、第１の電極３を負電位とすると、図２中右側の画素のように、白色粒子５１ａは、第１の電極３側に移動して第１の電極３に集まる。一方、着色粒子５１ｂは、第２の電極４側に移動して第２の電極４に集まる。このため、電気泳動表示装置２０を上方（表示面２３側）から見ると、図２中右側の画素には着色粒子５１ｂの色相、すなわち、黒色が見えることになる。
【００５７】
また、電気泳動粒子５１（白色粒子５１ａ、着色粒子５１ｂ）の帯電量や、電極３または４の極性、各電極３、４間の電位差等を適宜設定することにより、電気泳動表示装置２０の表示面２３側に、白色粒子５１ａおよび着色粒子５１ｂの色の組み合わせや、各電極３、４に集合する粒子の数等に応じて、所望の情報（画像）が表示される。
なお、電気泳動粒子５１の電気泳動移動度は、特に限定されないが、２．５×１０−６［ｃｍ２／Ｖ・ｓｅｃ］以上であるのが好ましく、３×１０−６［ｃｍ２／Ｖ・ｓｅｃ］以上であるのがより好ましい。このような高い電気泳動移動度の電気泳動粒子５１を備える電気泳動表示装置２０は、表示の切り替えが非常に速いため、表示内容を頻繁に変更する場合であっても、使用者にとって表示内容を快適に視認可能なものとなる。
【００５８】
また、本実施形態では、白色粒子５１ａと着色粒子５１ｂとが、互いに色相が異なっている。また、白色粒子５１ａと着色粒子５１ｂとは、前述したように、互いに帯電の極性が異なっている。すなわち、互いに色相の異なる２種の粒子が、互いに異なる方向に泳動して表示を構成することから、コントラストの高い表示が可能となる。
ここで、本実施形態では、磁性粒子５２が、着色粒子５１ｂと同じ極性に帯電している。このため、磁性粒子５２は、着色粒子５１ｂと同じように、図２中左側の画素では第１の電極３側に移動し、図２中右側の画素では第２の電極４側に移動する。
【００５９】
また、磁性粒子５２は、その帯電量が着色粒子５１ｂより小さいのが好ましい。これにより、図２中右側の画素のように、磁性粒子５２と着色粒子５１ｂとが第２の電極４側に泳動する際に、磁性粒子５２より着色粒子５１ｂの泳動速度が速くなる。したがって、着色粒子５１ｂは、磁性粒子５２よりも上方、すなわち、より第２の電極４側に集合することができる。その結果、この状態の電気泳動表示装置２０を表示面２３側から見ると、着色粒子５１ｂの色相、すなわち、黒色が見えることになる。
換言すれば、この状態では、表示面２３側から磁性粒子５２の色相が見えないので、磁性粒子５２の色相が意図せず表示されるのを確実に防止しつつ、白色粒子５１ａと着色粒子５１ｂとで構成される情報が確実に表示されることとなる。
【００６０】
また、図２に示すように、磁性粒子５２の平均粒径（サイズ）は、着色粒子５１ｂの平均粒径（サイズ）より大きくなっている。これにより、磁性粒子５２の泳動速度が着色粒子５１ｂより遅くなる傾向を示す。このため、泳動の際に、着色粒子５１ｂが磁性粒子５２よりも確実に先行することができる。さらに、着色粒子５１ｂの平均粒径が磁性粒子５２より小さいと、着色粒子５１ｂ同士が密集したときには、その隙間に磁性粒子５２が入り込み難くなる。このため、図２中右側の画素において、表示面２３側から磁性粒子５２の色相が意図せず見えてしまうのを、より確実に防止することができる。
なお、磁性粒子５２の平均粒径は、前述したように、着色粒子（第２の電気泳動粒子）５１ｂの平均粒径より大きいのが好ましいが、具体的には、０．２〜２０μｍ程度であるのが好ましく、０．２〜１５μｍ程度であるのがより好ましい。
【００６１】
磁性粒子５２の平均粒径は、具体的には、着色粒子５１ｂの平均粒径をＤとしたとき、１．１Ｄ〜３Ｄ程度であるのが好ましく、１．５Ｄ〜２．５Ｄ程度であるのがより好ましい。磁性粒子５２の平均粒径を前記範囲内にすれば、磁性粒子５２と着色粒子５１ｂとの泳動速度の差を十分に確保しつつ、磁性粒子のサイズが大きくなり過ぎて、磁性粒子５２によって構成される表示の精細度が低下するのを確実に防止することができる。
【００６２】
ここで、着色粒子（第２の電気泳動粒子）５１ｂは、白色粒子（第１の電気泳動粒子）５１ａよりも可視光の透過率が小さいのが好ましい。これにより、例えば、図２中右側の画素において、着色粒子５１ｂが白色粒子５１ａよりも可視光を透過させ難くなる。したがって、例えば、表示部２３側から見たとき、着色粒子５１ｂの陰に磁性粒子５２が隠れると、表示部２３側から磁性粒子５２の色相が意図せず見えてしまうのを、より確実に防止することができる。
【００６３】
また、磁性粒子５２と着色粒子５１ｂとの電気泳動移動度の差は、特に限定されないが、０．２×１０−６〜２×１０−６［ｃｍ２／Ｖ・ｓｅｃ］程度であるのが好ましく、０．５×１０−６〜１．５×１０−６［ｃｍ２／Ｖ・ｓｅｃ］程度であるのがより好ましい。これにより、磁性粒子５２と着色粒子５１ｂとの間に、十分な電気泳動移動度の差、すなわち泳動速度の差を十分に確保することができる。その結果、磁性粒子５２によって意図しない色相が表示されるのを避けることができる。なお、磁性粒子５２と着色粒子５１ｂとの電気泳動移動度の差は、前記上限値を超えてもよいが、着色粒子５１ｂの電気泳動移動度によっては、磁性粒子５２の電気泳動移動度が小さくなり過ぎて、着色粒子５１ｂと同じ方向に泳動できなくなるのを避けるため、必要に応じて、前記上限値を超えないようにするのが好ましい。
なお、磁性粒子５２は、必ずしも帯電していなくてもよい。
【００６４】
［２］次に、表示面２３に磁界を接近させる。具体的には、図３中左側に示すように、磁界を発生させる入力用ペン（磁界発生手段）８を表示面２３に接近させる。そして、表示面２３に追加表示させる画像、文字、記号等の情報の形状に基づき、入力用ペン８を表示面２３に沿って走査する。
入力用ペン８は、操作者によって把持される把持部８１と、把持部８１の先端部（図３の下方端部）に磁石８２を備えている。
このうち、磁石８２は、例えば、永久磁石、電磁石等で構成される。
【００６５】
上記のように入力用ペン８を操作することにより、表示面２３のうち、入力用ペン８を接近させた領域では、磁石８２がもたらす磁界の作用により、マイクロカプセル４０中の磁性粒子５２が泳動する。
このとき、磁性粒子５２は、磁石８２に引き寄せられて表示面２３側に向かって泳動する。そして、図３中左側の画素に示すように、第２の電極４に集まった白色粒子５１ａを押し退けるようにして、磁性粒子５２が第２の電極４の下面付近に集合する。この状態の電気泳動表示装置２０を表示面２３側から見ると、図３中左側の画素のうち、入力用ペン８を接近させた領域に磁性粒子５２の色相が見えることになる。
【００６６】
なお、磁性粒子５２を構成する材料が永久磁石を含んでいる場合、磁性粒子５２自らが磁界を発生させるので、入力用ペン８の磁石８２は、各種強磁性材料で構成された部材で代替しても、前記磁性粒子を容易に泳動させることができる。
また、図３中右側の画素においても、表示面２３に入力用ペン８を接近させることにより、磁性粒子５２の色相が表示面２３側から見えるようになる。
【００６７】
以上のようにすれば、白色粒子５１ａと着色粒子５１ｂとによる表示を基本的に維持しつつ、操作者が表示面２３を入力用ペン８で走査した軌跡に沿って、表示面２３に磁性粒子５２の色相で描かれた追加表示されることになる。
ところで、磁石８２の表示面２３と対向する面の面積は、追加表示される情報の精細度に影響を与える。すなわち、追加表示される情報は、磁石８２の前記面の幅に相当する幅の線で描かれることになる。したがって、描くべき線の幅（太さ）に応じて、磁石８２のサイズを適宜設定すればよい。
【００６８】
なお、電気泳動粒子５１および磁性粒子５２の比重は、液相分散媒６の比重とほぼ等しいか、近くなるように設定されているのが好ましい。これにより、電気泳動粒子５１は、電極３、４間への電圧の印加を停止した後においても、液相分散液６中において一定の位置に長時間滞留することができる。また、磁性粒子５２も、入力用ペン８を表示面２３から遠ざけた後においても、液相分散液６中において一定の位置に長時間滞留することができる。すなわち、電気泳動表示装置２０に表示された情報が長時間保持されることとなる。
【００６９】
［３］次に、必要に応じて、対向基板１１の下面（マイクロカプセル含有層４００と反対側の面）２４に磁界を接近させる。
具体的には、図４に示すように、磁性粒子５２の色相による表示を消去したい領域に対応する対向基板１１の下面２４に沿って、イレーザー（解除手段）９を走査する。
図４に示すイレーザー９は、操作者によって把持される直方体形状をなす把持部９１と、把持部９１の上面（対向基板１１の下面）に設けられた磁石９２とを備えている。
磁石９２は、例えば、永久磁石、電磁石等で構成される。
【００７０】
上記のようにイレーザー９を操作することにより、磁石９２がもたらす磁界の作用により、マイクロカプセル４０中の磁性粒子５２が泳動する。
このとき、第２の電極４に集まった磁性粒子５２は、磁石９２に引き寄せられて第１の電極３側に向かって泳動する。そして、図４に示すように、第１の電極３に集まった電気泳動粒子５１を押し退けるようにして、磁性粒子５２が第１の電極３の上面付近に集合する。この状態の電気泳動表示装置２０を表示面２３側から見ると、前記［１］における表示（白色粒子５１ａと着色粒子５１ｂとによる表示）が復帰する。すなわち、前記［２］において磁性粒子５２の色相で描かれた情報のみが消去されることになる。このように磁石を用いることにより、簡単な構造で、追加表示された情報のみを消去することができる。
【００７１】
なお、磁石９２の形状や、磁石９２の回路基板２２の下面２４に対向する面の面積は、特に限定されない。
また、イレーザー９は、電気泳動表示装置２０とは別に設けられていてもよいが、磁石９２が回路基板２２の下面２４を走査可能なように、電気泳動表示装置２０に付属していてもよい。
【００７２】
以上のような電気泳動表示装置２０では、デジタイザ等の入力機器を別途使用しなくとも、例えば入力用ペン８のような磁界発生手段を使用して、電気泳動表示装置２０に直接、情報を追加表示することができる。したがって、装置の軽量化・小型化はもちろん、装置構成の簡易化を図りつつ、手入力等の方法で追加表示が可能な表示装置として電気泳動表示装置２０を用いることができる。
【００７３】
また、追加で入力された情報は、磁性粒子５２の磁気泳動によって表示されるものであり、例えば入力用ペン８を表示面２３に接触させつつ走査させることによって、速やかに表示されるものである。したがって、入力用ペン８の操作者にとっては、情報の入力から出力までのタイムラグをほとんど感じることなく、追加表示が可能となる。
また、この電気泳動表示装置２０では、磁性粒子５２として電気泳動粒子５２と異なる色相のものを用いる。これにより、電気泳動粒子５１の色相によって描かれる情報と、磁性粒子５２の色相によって描かれる情報とを、容易に識別することができる。すなわち、追加された情報を良好なコントラストで表示することができる。
【００７４】
また、この電気泳動表示装置２０では、電気泳動粒子５１の色相によって描かれた情報に、磁性粒子５２の色相によって描かれた情報を追記するようになっている。このため、電気泳動粒子５１による情報の精細度が高いのはもちろん、磁性粒子５２による情報も、粒子サイズや入力用ペン８の構成を適宜設定することにより、高い精細度で表示することができる。
【００７５】
≪第２実施形態≫
次に、本発明の電気泳動表示シートを適用した電気泳動表示装置の第２実施形態について説明する。
図５は、本発明の電気泳動表示装置の第２実施形態の縦断面を模式的に示す図である。
以下、第２実施形態にかかる電気泳動表示装置について説明するが、前記第１実施形態にかかる電気泳動表示装置との相違点を中心に説明し、同様の事項については、その説明を省略する。
【００７６】
図５に示す電気泳動表示装置２０は、マイクロカプセル４０に代えて、マトリックス状に分割された第１の電極３の個別電極同士の間に設けられ、密閉空間７１を画成する隔壁７２と、この密閉空間７１内に電気泳動分散液１０とを有していること以外は、前記第１実施形態にかかる電気泳動表示装置２０と同様である。
このような第２実施形態にかかる電気泳動表示装置２０によっても、前記第１実施形態と同様の作用・効果が得られる。
【００７７】
≪第３実施形態≫
次に、本発明の電気泳動表示シートを適用した電気泳動表示装置の第３実施形態について説明する。
図６は、本発明の電気泳動表示装置の第３実施形態の縦断面を模式的に示す図、図７は、図６に示す電気泳動表示装置の作動原理を示す模式図である。なお、以下では、説明の都合上、図６〜７中の上側を「上」、下側を「下」として説明を行う。
【００７８】
以下、第３実施形態にかかる電気泳動表示装置について説明するが、前記第１実施形態にかかる電気泳動表示装置との相違点を中心に説明し、同様の事項については、その説明を省略する。
図６に示す電気泳動表示装置２０は、磁性粒子５２として、Ｎ極側５２ＮとＳ極側５２Ｓとが異なる色相を呈する、永久磁石で構成された磁性粒子（例えば、Ｎ極側５２Ｎが赤色を呈し、Ｓ極側５２Ｓが青色を呈する磁性粒子）を用いること以外は、前記第１実施形態にかかる電気泳動表示装置２０と同様である。
また、本実施形態にかかる電気泳動表示装置２０に対して情報を追記する際に用いる入力用ペン８として、磁石８２の表示面２３と対向する磁極が、Ｎ極とＳ極とに切り替えることが可能なものを用いる。
【００７９】
このような電気泳動表示装置２０では、図７中左側の画素に示すように、電気泳動表示装置２０の表示面２３に、入力用ペン８のＮ極を接触（接近）させると、その磁界によって、磁性粒子５２は、Ｓ極側５２Ｓを入力用ペン８に向けて磁気泳動し、第２の電極４に到達する。この状態の電気泳動表示装置２０を表示面２３側から見ると、磁性粒子５２のＳ極側５２Ｓの色相、すなわち、青色が見えることになる。
【００８０】
一方、図７中右側の画素に示すように、電気泳動表示装置２０の表示面２３に、入力用ペン８のＳ極を接触（接近）させると、その磁界によって、磁性粒子５２は、Ｎ極側５２Ｎを入力用ペン８に向けて磁気泳動し、第２の電極４に到達する。この状態の電気泳動表示装置２０を表示面２３側から見ると、磁性粒子５２のＮ極側５２Ｎの色相、すなわち、赤色が見えることになる。
【００８１】
このような第３実施形態にかかる電気泳動表示装置２０によっても、前記第１実施形態と同様の作用・効果が得られる。
また、この第３実施形態にかかる電気泳動表示装置２０では、特に、入力用ペン８の磁石８２の磁極の向きを変更することにより、それぞれ異なる色相で描かれた情報を追加表示することができる。すなわち、より多様な情報を追加表示することができる電気泳動表示装置２０が得られる。
【００８２】
＜電子機器＞
以上のような電気泳動表示装置２０は、各種電子機器に組み込むことができる。以下、電気泳動表示装置２０を備える本発明の電子機器について説明する。
＜＜電子ペーパー＞＞
まず、本発明の電子機器を電子ペーパーに適用した場合の実施形態について説明する。
【００８３】
図８は、本発明の電子機器を電子ペーパーに適用した場合の実施形態を示す斜視図である。
図８に示す電子ペーパー６００は、紙と同様の質感および柔軟性を有するリライタブルシートで構成される本体６０１と、表示ユニット６０２とを備えている。
このような電子ペーパー６００では、表示ユニット６０２が、前述したような電気泳動表示装置２０で構成されている。
【００８４】
＜＜ディスプレイ＞＞
次に、本発明の電子機器をディスプレイに適用した場合の実施形態について説明する。
図９は、本発明の電子機器をディスプレイに適用した場合の実施形態を示す図である。このうち、図９中（ａ）は断面図、（ｂ）は平面図である。
図９に示すディスプレイ（表示装置）８００は、本体部８０１と、この本体部８０１に対して着脱自在に設けられた電子ペーパー６００とを備えている。なお、この電子ペーパー６００は、前述したような構成、すなわち、図８に示す構成と同様のものである。
【００８５】
本体部８０１は、その側部（図９中、右側）に電子ペーパー６００を挿入可能な挿入口８０５が形成され、また、内部に二組の搬送ローラ対８０２ａ、８０２ｂが設けられている。電子ペーパー６００を、挿入口８０５を介して本体部８０１内に挿入すると、電子ペーパー６００は、搬送ローラ対８０２ａ、８０２ｂにより挟持された状態で本体部８０１に設置される。
【００８６】
また、本体部８０１の表示面側（図９（ａ）中、紙面手前側）には、矩形状の孔部８０３が形成され、この孔部８０３には、透明ガラス板８０４が嵌め込まれている。これにより、本体部８０１の外部から、本体部８０１に設置された状態の電子ペーパー６００を視認することができる。すなわち、このディスプレイ８００では、本体部８０１に設置された状態の電子ペーパー６００を、透明ガラス板８０４において視認させることで表示面を構成している。
【００８７】
また、電子ペーパー６００の挿入方向先端部（図９中、左側）には、端子部８０６が設けられており、本体部８０１の内部には、電子ペーパー６００を本体部８０１に設置した状態で端子部８０６が接続されるソケット８０７が設けられている。このソケット８０７には、コントローラー８０８と操作部８０９とが電気的に接続されている。
このようなディスプレイ８００では、電子ペーパー６００は、本体部８０１に着脱自在に設置されており、本体部８０１から取り外した状態で携帯して使用することもできる。
また、このようなディスプレイ８００では、電子ペーパー６００が、前述したような電気泳動表示装置２０で構成されている。
【００８８】
なお、本発明の電子機器は、以上のようなものへの適用に限定されず、例えば、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができ、これらの各種電子機器の表示部に、本発明の電気泳動表示装置を適用することが可能である。
【００８９】
以上のような電子ペーパー６００によれば、例えば、白色粒子５１ａと着色粒子５１ｂとにより定型の書式の画像を表示させ、この書式の所定の欄に、入力用ペン８を用いて文字等を入力（追加表示）することにより、必要な書類を容易に作成することができる。
このようにして作成した書類は、定型の書式を表示する画像の色相（表示色）と、入力用ペン８を用いて入力した情報の色相とが異なっている。このため、定型の書式と入力した情報とを目視で容易に識別することができるという利点がある。
【００９０】
また、紙を使用せずに書類を作成することができるので、環境負荷の低減に寄与することができる。
この他、例えば、試験の出題者が、白色粒子５１ａと着色粒子５１ｂとにより、電気泳動表示装置２０に問題を表示し、解答者が、入力用ペン８を用いて解答を入力するような場合に、電子ペーパー６００を好適に用いることができる。
【００９１】
以上、本発明の電気泳動表示シート、電気泳動表示装置および電子機器を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
例えば、前記各実施形態では、一対の電極が対向して設けられた構成のものについて示したが、本発明は、これに限らず、例えば、一対の電極を同一基板上に設ける構成のものに適用することもできる。
【００９２】
また、前記各実施形態では、分散媒として液相分散媒を使用しているが、気相分散媒を使用してもよい。ただし、電気泳動粒子および磁性粒子の移動速度や沈降、凝集等の挙動を容易に制御することができることから、液相分散媒を使用するのが好ましい。
また、前記第１実施形態では、マイクロカプセルは、それぞれ第１の電極（画素電極）に対応して配置されているが、本発明では、これに限らず、例えば、マイクロカプセルが、隣り合う２つ以上の画素電極にまたがるように配置されていてもよい。
また、本発明の電気泳動表示装置は、前記各実施形態の構成を組み合わせたものであってもよい。
【図面の簡単な説明】
【００９３】
【図１】本発明の電気泳動表示装置の第１実施形態の縦断面を模式的に示す図である。
【図２】図１に示す電気泳動表示装置の作動原理を示す模式図である。
【図３】図１に示す電気泳動表示装置の作動原理を示す模式図である。
【図４】図１に示す電気泳動表示装置の作動原理を示す模式図である。
【図５】本発明の電気泳動表示装置の第２実施形態の縦断面を模式的に示す図である。
【図６】本発明の電気泳動表示装置の第３実施形態の縦断面を模式的に示す図である。
【図７】図６に示す電気泳動表示装置の作動原理を示す模式図である。
【図８】本発明の電子機器を電子ペーパーに適用した場合の実施形態を示す斜視図である。
【図９】本発明の電子機器をディスプレイに適用した場合の実施形態を示す図である。
【符号の説明】
【００９４】
１、２……基部  ３……第１の電極  ４……第２の電極  ５１……電気泳動粒子  ５１ａ……白色粒子  ５１ｂ……着色粒子  ５２……磁性粒子  ５２Ｎ……Ｎ極側  ５２Ｓ……Ｓ極側  ６……液相分散媒  ７……封止部  ７１……密閉空間  ７２……隔壁  ８……入力用ペン  ８１……把持部  ８２……磁石  ９……イレーザー  ９１……把持部  ９２……磁石  １０……電気泳動分散液  １１……対向基板  １２……基板  ２０……電気泳動表示装置  ２１……電気泳動表示シート  ２２……回路基板  ２３……表示面  ２４……下面  ４０……マイクロカプセル  ４００……マイクロカプセル含有層  ４０１……カプセル本体  ４１……バインダ材  ６００……電子ペーパー  ６０１……本体  ６０２……表示ユニット  ８００……ディスプレイ  ８０１……本体部  ８０２ａ、８０２ｂ……搬送ローラ対  ８０３……孔部  ８０４……透明ガラス板  ８０５……挿入口  ８０６……端子部  ８０７……ソケット  ８０８……コントローラー  ８０９……操作部
【図１】
2008116513.tif 000003
【図２】
2008116513.tif 000004
【図３】
2008116513.tif 000005
【図４】
2008116513.tif 000006
【図５】
2008116513.tif 000007
【図６】
2008116513.tif 000008
【図７】
2008116513.tif 000009
【図８】
2008116513.tif 000010
【図９】
2008116513.tif 000011